(57)【特許請求の範囲】
【請求項１】
収納体の蓋をロックするための蓋のロック装置において、
上記収納体にスライド自在に取り付けられた可撓性を有するプラスチック製の移動体と、
この移動体に設けられた上記蓋を掛止する掛止部と、
上記移動体に一体的に形成され、上記蓋を掛止する方向に上記移動体を付勢する円弧状の付勢手段と、
上記蓋に設けられ、上記移動体の掛止解除方向への移動に伴って上記移動体を撓ませ、上記掛止部の掛止が解除されたとき撓んだ上記移動体を復元させる移動体撓曲手段と、
上記蓋に設けられ、上記移動体が復元したときに上記蓋を上方に付勢するための接触部と、
を備えたことを特徴とする蓋のロック装置。
【請求項２】
上記移動体撓曲手段は、上記接触部を兼用していることを特徴とする請求項１記載の蓋のロック装置。
【請求項３】
収納体の蓋をロックするための蓋のロック装置において、
上記収納体にスライド自在に取り付けられた可撓性を有するプラスチック製の移動体と、
この移動体に設けられた上記蓋を掛止する掛止部と、
上記移動体に一体的に形成され、上記蓋を掛止する方向に上記移動体を付勢する円弧状の付勢手段と、
上記収納体に設けられ、上記移動体の掛止解除方向への移動に伴って上記移動体を撓ませ、上記掛止部の掛止が解除されたとき撓んだ上記移動体を復元させる移動体撓曲手段と、
上記蓋に設けられ、上記移動体が復元したときに上記蓋を上方に付勢するための接触部と、
を備えたことを特徴とする蓋のロック装置。
【発明の詳細な説明】
【０００１】
【発明の属する技術分野】
本発明は蓋のロック装置に関する。詳しくは蓋を掛止する掛止部が設けられた移動体にバネを一体的に設けるとともに、移動体が撓んだ後に復帰する力を利用して蓋を上方に押し上げることによって、バネ等の部品を不要にして部品点数の減少によるコスト低減及び組立作業の簡易化を図ることができる蓋のロック装置に関する。
【０００２】
【従来の技術】
例えば携帯式カセットテープレコーダには図１４に示すようにカセットテープなどの録音媒体が収容室１４から脱落するのを防止するため蓋１６が設けられている。一般にこの蓋１６はその後端部が機器のキャビネット１３等に蝶番８０で結合されることによって開閉自在となっており、後端部に掛止されたバネ７６によって常に開方向に付勢されている。また、閉じた蓋１６が不用意に開くことがないように蓋１６及びキャビネット１３の前端部にロック装置７０が設けられている。
【０００３】
このロック装置７０は、キャビネット１３の前端部にスライド自在に取り付けられた掛止用爪７１と、この掛止用爪７１を付勢する金属製のバネ７５とから構成される。蓋１６を閉じた状態ではバネ７５によって付勢された掛止用爪７１が蓋１６に設けられた被掛止片７２に掛止され、蓋１６がロックされる。
【０００４】
蓋１６を開くときはスライドスイッチ（図示せず）を動かして掛止用爪７１をスライドさせる。これによって掛止用爪７１が被掛止片７２から外れ、バネ７６の付勢力によって蓋１６が上方に開く。
【０００５】
【発明が解決しようとする課題】
しかし、図１４に示した従来のロック装置７０では掛止用爪７１を被掛止片７２させるためのバネ７５が必要であるとともに、蓋を開方向に付勢するためのバネ７６が必要である。このため、部品点数が多くなり製造コストを増大させる原因となっていた。また、携帯用カセットテープレコーダのような小型の機器の場合、組立時にバネ７５，７６のような小部品を取り付ける作業が煩雑であった。
【０００６】
そこで、本発明は上述したような課題を解決したものであって、部品点数を減少することができるとともに、取付作業の容易な蓋のロック装置を提供するものである。
【０００７】
【課題を解決するための手段】
上述の課題を解決するため、本発明においては、収納体の蓋をロックするための蓋のロック装置において、収納体にスライド自在に取り付けられた可撓性を有するプラスチック製の移動体と、この移動体に設けられた蓋を掛止する掛止部と、移動体に一体的に形成され、蓋を掛止する方向に移動体を付勢する円弧状の付勢手段と、蓋に設けられ、移動体の掛止解除方向への移動に伴って移動体を撓ませ、掛止部の掛止が解除されたとき撓んだ移動体を復元させる移動体撓曲手段と、蓋に設けられ、移動体が復元したときに蓋を上方に付勢するための接触部とを備えたことを特徴とするものである。
また、本発明においては、収納体の蓋をロックするための蓋のロック装置において、収納体にスライド自在に取り付けられた可撓性を有するプラスチック製の移動体と、この移動体に設けられた蓋を掛止する掛止部と、移動体に一体的に形成され、蓋を掛止する方向に移動体を付勢する円弧状の付勢手段と、収納体に設けられ、移動体の掛止解除方向への移動に伴って移動体を撓ませ、掛止部の掛止が解除されたとき撓んだ移動体を復元させる移動体撓曲手段と、蓋に設けられ、移動体が復元したときに蓋を上方に付勢するための接触部とを備えたことを特徴とするものである。
【０００８】
蓋が閉じられている状態では、蓋が移動体の掛止部に掛止されている。この状態からスライドスイッチを操作して、移動体を付勢手段の付勢力に抗してスライドさせる。これによって移動体全体が移動体撓曲手段によって撓む。そして、掛止部の掛止が解除されたとき移動体が元の状態に復元するが、このときの偏倚力が接触部を介して蓋に伝達され、蓋が上方に押し上げられる。
【０００９】
【発明の実施の形態】
続いて、本発明に係る蓋のロック装置の実施の形態について、図面を参照して詳細に説明する。
【００１０】
図１は本発明に係る第１の実施の形態であるロック装置を適用した携帯式のカセットテープレコーダ１０の構成を示す。このカセットテープレコーダ１０は、カセットテープの記録情報を読み取ってヘッドフォン（図示せず）でその情報を聞くことが可能ないわゆるヘッドフォンステレオと呼ばれるものである。カセットテープは収納体であるキャビネット１３の内側に形成された収容室１４に収められる。収容室１４ではカセットテープの再生処理や巻取り処理などが行われる。
【００１１】
キャビネット１３の上側には収容室１４を開閉する蓋１６が取り付けられている。蓋１６は長方形の板状であり、その基端部１６ａはキャビネットに蝶番（図示せず）で取り付けられており、蓋１６は図中に矢印Ａで示すように上下に回動して収容室１４を開閉することができる。
【００１２】
キャビネット１３の前端部１３ｂには閉じた蓋１６の被掛止片１８をロックするための本発明に係るロック装置２０が配される。このロック装置２０は前端部１３ｂにスライド自在に取り付けられたスライドスイッチ２２によって操作される。ロック装置２０は蓋１６をロックするだけではなく、蓋１６を開くときに蓋１６を上方に押し上げる機能を有するとともに、ロック状態を維持するための付勢手段である円弧状バネ３７（図２）を一体的に形成したものである。
【００１３】
一方、蓋１６の先端部１６ｂの下面には略Ｌ字状の被掛止片１８及びその近傍に板状の被押圧片１９が形成される。被掛止片１８はロック装置２０に掛止されるものであり、被押圧片１９は後述するスライダー（移動体）２１を撓ませるための移動体撓曲手段となるとともに、蓋１６を開くときにロック装置２０によって押圧される接触部となる。すなわち、この実施の形態では被押圧片１９は移動体撓曲手段と接触部を兼用する。
【００１４】
なお、被掛止片１８の先端下縁であって一方の角には傾斜面１８ａが形成され、被押圧片１９の先端下縁の角は傾斜面１９ａが形成される。傾斜面１８ａ，１９ａはそれぞれロック装置２０の掛止用爪３６（図３）と突出部４２（図３）が摺接する面となる。
【００１５】
図２にロック装置２０の詳細を示す。ロック装置２０ではキャビネット１３の内側に蓋１６を掛止するための掛止部３６及び蓋１６を押し上げるための突出部４２を有するプラスチック製のスライダー（移動体）２１が図中左右方向にスライド自在に取り付けられる。
【００１６】
スライダー２１は図３に示すようにキャビネット１３の内面に摺接する平板状の第１摺接板部３１と第２摺接板部３２とを有し、これらが同一平面上に配されるようにネック部３３によって一体的に連結される。このネック部３３は可撓性を有するように幅が狭く形成される。この撓みによる復元力は後述するように蓋１６を上方に押圧する押圧力として利用される。
【００１７】
第１摺接板部３１は略矩形に形成され、その中央側の縁部には蓋１６の被掛止片１８を掛止するための掛止用爪３６が第２摺接板部３１側に向けて形成される。この掛止用爪３６は爪状に形成され、その先端上面には被掛止片１８（図１）の摺接を案内するための緩やかな傾斜面３６ａが形成される。また、この掛止用爪３６の基部は厚みを増して形成された補強部３８（図４）となっている。これは係止用爪３６は繰り返し掛止及び解除を行うための十分な強度を確保するためである。
【００１８】
第１摺接板部３１の右端部にはスライダー２１の付勢手段である円弧状バネ３７が一体的に形成される。この円弧状バネ３７は略Ｓ字状に細く半円弧状に形成される。第１摺接板部３１に近い第１円弧部３７ａは比較的大径に設定され、スライダー２１自体を付勢するものである。また、円弧状バネ３７の先端に近い第２円弧部３７ｂは比較的小径に設定され、キャビネット１３へ掛止するために使用される。このように円弧状バネ３７を一体的に形成することにより、別部品としてのバネが不要となる。
【００１９】
第２摺接板部３２は中央寄りに位置する幅の広い主板部３２ａと左端部側に位置する幅の狭いスライド案内部３２ｂとから構成される。主板部３２ａには長円孔４１がスライド方向に沿って設けられる。
【００２０】
この長円孔４１の左側の縁部には被押圧片１９（図１）に接触する突出部４２が形成される。突出部４２は台形状に形成され、この突出部４２の長円孔４１側の角（上述した被押圧片１９と接触する側）は被押圧片１９に摺接する傾斜面となっている。
【００２１】
主板部３２ａの縁部であってスライドスイッチ２２とは異なる側にはスライダー２１の過剰なスライドを制限するためのストッパ４３が突出形成されている。
【００２２】
第１摺接板部３１、第２摺接板部３２及びネック部３３の縁部であってスライドスイッチ２２に対向する側に下方に傾斜する連結板部３４が形成される。連結板部３４の先端は水平になるように屈折され、この先端側の縁にスライドスイッチ２２に連結するための２カ所の係合溝４６が設けられる。
【００２３】
このスライダー２１は図２及び図４に示すようにキャビネット１３の前端部１３ｂの裏面側に設けられた３カ所の鈎爪状の保持片５１によってキャビネット１３の裏面にスライド自在に取り付けられる。スライダー３４の連結板部３４の係合溝４６（図３）にはスライドスイッチ２２の裏面に立設された被連結片５２が係合する。これによって図２及び図５に示すようにスライダー２１がスライドスイッチ２２のスライドに連動してスライドすることになる。
【００２４】
キャビネット１３には角孔２６，２７が設けられ、スライダー２１の掛止用爪３６と突出部４２の内側にそれぞれ入り込んでいる。この角孔２６，２７はスライダー２１のスライドに伴う掛止用爪３６と突出部４２の移動範囲に対応する大きさ及び形状に設定される。
【００２５】
スライダー２１の長円孔４１にはキャビネット１３の裏面に設けられた円柱状のピン５５が挿入され、このピン５５によってスライダー２１が左右方向にスライド自在に取り付けられる。また、キャビネット１３の裏面には板状の案内板部５３がそのスライド方向に沿って立設され、これがスライダー２１のスライド案内部３２ｂの側面に接触してスライダー２１のスライドを案内する。
【００２６】
円弧状バネ３７の第２円弧部３７ｂはキャビネット１３の裏面に設けられた円柱状の掛止突起５４に掛止される。この円弧状バネ３７によってスライダー２１が常に図中左方向に付勢されている。
【００２７】
以上のように構成されたロック装置２０についての以下その動作について説明する。蓋１６が閉じられている状態では、図２及び図６に示すように蓋１６の被掛止片１８がキャビネット１３の角孔２６を挿通してスライダー２１の掛止用爪３６に掛止されている。また、蓋１６の被押圧片１９が角孔２７を挿通してスライダー２１の突出部４２の右側に位置している。スライダー２１は円弧状バネ３７によって常に左方向（掛止方向）に付勢されているが、スライダー２１のストッパ４３が保持片５１の側面に当接して、スライダー２１がそれ以上移動しないように規制される。
【００２８】
この状態からスライドスイッチ２２を円弧状バネ３７の付勢力に抗して図中右方向（掛止解除方向）にスライドさせる。これによって図７に示すようにスライダー２１が右方向にスライドし、突出部４２が被押圧片１９の傾斜面１９ａに沿って摺動し、スライダー２１自体がネック部３３（図３）による弾性変形によって撓み、第２摺接板部３２がキャビネット１３の下面から離れる。
【００２９】
そしてスライダー２１が十分に撓んだとき、掛止用爪３６が被掛止片１８から外れ、図８に示すようにスライダー２１が復元する。このときのスライダー２１の復帰力が突出部４２によって蓋１６の被押圧片１９に伝達され、蓋１６を押し上げ、被押圧片１９が突出部４２の上面に乗り上げ蓋１６の開状態が保持される。
【００３０】
ここでスライドスイッチ２２を放すとスライダー２１は円弧状バネ３７の付勢力によってスライド開始前の位置に復帰し、掛止用爪３６の傾斜面３６ａと傾斜面１８ａが摺接して、傾斜面１８ａが傾斜面３６ａの上面に乗り上げる。これによって蓋１６がさらに開かれる。この状態から使用者が蓋１６を指で開くことにより、図１に示すように蓋１６を完全に開くことができる。
【００３１】
蓋１６を閉じるときは、図９の状態から蓋１６を上方から押圧するだけでよい。これによって被掛止片１８の傾斜面１８ａによって掛止用爪３６が右方向に押圧され、スライダー２１が円弧状バネ３７の付勢力に抗して右方向にスライドする。そして、掛止用爪３６によって被掛止片１８が掛止される。
【００３２】
このように本発明に係るロック装置２０ではスライダー２１の付勢手段である円弧状バネ３７をスライダー２１自体に一体的に設けているので、従来から別部品として必要であったバネ７５（図１４）が不要となる。
【００３３】
また、スライダー２１の撓みによる復帰力を蓋１６を押し上げる力として伝達しているので、蓋１６を開方向に付勢するための従来から別部品として必要であったバネ７６（図１４）が不要となる。このように部品点数が減少することによりコストの低減及び組立作業の簡易化を図ることができる。
【００３４】
続いて、図１０に本発明に係る第２の実施の形態であるロック装置９０の構成を示す。このロック装置９０では移動体撓曲手段と接触部とを別々に独立させて設けたものである。なお、上述と同様の部分には同一の符号を付して詳細な説明を省略した。
【００３５】
このロック装置９０ではキャビネット１３の下面であって角孔２７の図中左側の縁に三角状の突起であるスライダー撓曲部８３が設けられている。一方、スライダー８１には長円孔４１の左側に位置して逃げ孔８２が設けられる。この逃げ孔８２の大きさはスライダー撓曲部８３を挿入できるように設定される。
【００３６】
また逃げ孔８２の右側の縁はスライダー８１の上面側からに連続する傾斜面８２ａが形成される。これは後述するようにスライダー８１が右方向にスライドしたとき逃げ孔８２に挿入されたスライダー撓曲部８３が長円孔４１に容易に復帰できるように案内するためのものである。
【００３７】
また、被押圧片８９は略矩形に形成され、スライダー８１の復帰力を蓋１６に伝達する接触部として機能する。蓋１６をロックした状態ではスライダー撓曲部８３及び被押圧片８９は長円孔４１に挿入されている。
【００３８】
この状態からスライドスイッチ２２（図１）を円弧状バネ３７の付勢力に抗して図中右方向（掛止解除方向）にスライドさせる。これによって図１１に示すようにスライダー８１が右方向にスライドし、スライダー８１がスライダー撓曲部８３の傾斜面に沿って撓み、第２摺接板部３２がキャビネット１３の下面から離れる。このときスライダー撓曲部８３及び被押圧片８９が長円孔４１から抜け出す。
【００３９】
そしてスライダー８１が十分に撓んだとき、掛止用爪３６が被掛止片１８から外れるが、まだスライダー撓曲部８３がスライダー８１に接触しているのでスライダー８１は撓んだ状態のままである。さらにスライダー８１を右方向に移動させると、図１２に示すようにスライダー撓曲部８３が逃げ孔８２に挿入され、スライダー８１が復元する。このときスライダー８１の復元力が蓋１６の被押圧片８９によって蓋１６に伝達され、蓋１６を上方に押し上げる。
【００４０】
ここでスライドスイッチ２２（図１）を放すと図１３に示すようにスライダー８１は円弧状バネ３７の付勢力によってスライド開始前の位置に復帰する。このときスライダー撓曲部８３が逃げ孔８２の傾斜面８２ａに案内されて長円孔４１内に挿入される。
【００４１】
このとき、掛止用爪３６の傾斜面３６ａに被掛止片１８の傾斜面１８ａが当接し、さらに蓋１６が持ち上げられた状態で支持されることになる。この状態から使用者が蓋１６を指で開くことにより、図１に示すように蓋１６を完全に開くことができる。
【００４２】
また、図１３の状態から蓋１６を上方から押圧するだけでよい。これによって被掛止片１８の傾斜面１８ａによって掛止用爪３６が右方向に押圧される。このときスライダー撓曲部８３の傾斜面に沿ってスライダー８１が撓み、逃げ孔８２に挿入される。
【００４３】
ここで掛止用爪３６が被掛止片１８に掛止されることによって、掛止用爪３６による押圧力がなくなり、スライダー８１は円弧状バネ３７の付勢力によって左方向に移動して元の位置に復帰する。このときスライダー撓曲部８３が逃げ孔８２の傾斜面８２ａに案内されて長円孔４１内に挿入される。
【００４４】
以上述べたように移動体撓曲手段であるスライダー撓曲部８３と接触部である被押圧片８９とを別々に独立させて設けてもよい。
【００４５】
【発明の効果】
以上説明したように、本発明においては、収納体の蓋をロックするための蓋のロック装置において、収納体にスライド自在に取り付けられた可撓性を有するプラスチック製の移動体と、この移動体に設けられた蓋を掛止する掛止部と、移動体に一体的に形成され、蓋を掛止する方向に移動体を付勢する円弧状の付勢手段と、蓋もしくは収納体に設けられ、移動体の掛止解除方向への移動に伴って移動体を撓ませ、掛止部の掛止が解除されたとき撓んだ移動体を復元させる移動体撓曲手段と、蓋に設けられ、移動体が復元したときに蓋を上方に付勢するための接触部とを備えたことを特徴とするものである。
【００４６】
従って本発明によれば、付勢手段を移動体に一体的に設けているので、掛止部を掛止させるための別部品としてのバネが不要となる等の効果がある。
【００４７】
また、移動体の撓みによる復帰力を蓋を押し上げる力として利用しているので、蓋を開方向に付勢するための別部品であるバネが不要となり、部品点数を減少させてコストの低減及び組立作業の容易化が可能になる等の効果がある。
【図面の簡単な説明】
【図１】本発明に係るロック装置２０を適用したカセットテープレコーダ１０の構成を示す斜視図である。
【図２】ロック装置２０の構成を示す上面図である。
【図３】スライダー２１の形状を示す斜視図である。
【図４】ロック装置２０とスライドスイッチ２２との連結を示す側断面図である。
【図５】スライダー２１をスライドさせた状態を示す上面図である。
【図６】ロック装置２０のロック解除動作（１／４）である。
【図７】ロック装置２０のロック解除動作（２／４）である。
【図８】ロック装置２０のロック解除動作（３／４）である。
【図９】ロック装置２０のロック解除動作（４／４）である。
【図１０】本発明の第２の実施の形態であるロック装置９０のロック解除動作（１／４）である。
【図１１】ロック装置９０のロック解除動作（２／４）である。
【図１２】ロック装置９０のロック解除動作（３／４）である。
【図１３】ロック装置９０のロック解除動作（４／４）である。
【図１４】従来のロック装置７０の構成を示す斜視図である。
【符号の説明】
１０  カセットテープレコーダ
１４  収納室
１６  蓋
１８  被掛止片
１９，８９  被押圧片
２０，９０  ロック装置
２１，８１  スライダー
２２  スライドスイッチ
３１  第１摺接板部
３２  第２摺接板部
３３  ネック部
３４  連結板部
３７  円弧状バネ
３６  掛止用爪
４２  突出部
８２  逃げ孔
８３  スライダー撓曲部
【図１】
0003671510.tif 000002
【図２】
0003671510.tif 000003
【図３】
0003671510.tif 000004
【図４】
0003671510.tif 000005
【図５】
0003671510.tif 000006
【図６】
0003671510.tif 000007
【図７】
0003671510.tif 000008
【図８】
0003671510.tif 000009
【図９】
0003671510.tif 000010
【図１０】
0003671510.tif 000011
【図１１】
0003671510.tif 000012
【図１２】
0003671510.tif 000013
【図１３】
0003671510.tif 000014
【図１４】
0003671510.tif 000015